(57)【要約】【課題】視聴権の訴求力を向上させるとともに、宿泊施設におけるコミュニケーションのきっかけとなり得る視聴権販売装置及び視聴権販売システムを提供する。【解決手段】硬貨又は紙幣の入金を受け付ける入金受付部を備え、施設内に設置されている表示装置における映像の視聴を可能とするための視聴権を販売する視聴権販売装置において、前記入金受付部にて所定の金額を受け付けた場合、クーポンブックと引き換え可能な引換券を所定の媒体に印刷出力する出力部を備える。【選択図】図１
2017138734.tif 000002
【特許請求の範囲】
【請求項１】
硬貨又は紙幣の入金を受け付ける入金受付部を備え、施設内に設置されている表示装置における映像の視聴を可能とするための視聴権を販売する視聴権販売装置において、
前記入金受付部にて所定の金額を受け付けた場合、クーポンブックと引き換え可能な引換券を所定の媒体に印刷出力する出力部
を備えることを特徴とする視聴権販売装置。
【請求項２】
入金回数と複数種類の引換券の内のいずれかとの対応を記憶する記憶部と、
前記施設の利用期間中に前記入金受付部にて受け付けた入金回数を数える計数部と
を更に備え、
前記出力部は、前記計数部にて数えられた入金回数に対応する引換券を前記所定の媒体へ印刷出力する
ことを特徴とする請求項１に記載の視聴権販売装置。
【請求項３】
入金額と複数種類の引換券の内のいずれかとの対応を記憶する記憶部と
前記施設の利用期間中に前記入金受付部にて受け付けた入金額を総計する総計部と
を更に備え、
前記出力部は、前記総計部にて受け付けた金額に対応する引換券を前記所定の媒体へ印刷出力する
ことを特徴とする請求項１に記載の視聴権販売装置。
【請求項４】
前記出力部は、前記引換券と共に、所定のＷｅｂページへの接続用又は所定のプログラム起動用の認証コードを含む二次元バーコード情報を印刷出力する
ことを特徴とする請求項１に記載の視聴権販売装置。
【請求項５】
施設内に設置されている表示装置と通信可能に接続してあり、前記表示装置への映像送信を制御する送信制御装置と、硬貨又は紙幣の入金を受け付ける入金受付部を備え、前記表示装置への映像送信を可能とする映像の視聴権を販売する販売装置とを含む視聴権販売システムにおいて、
前記施設の利用期間中に前記入金受付部にて受け付けた入金額、入金回数、前記映像の送信時間、又は送信された映像コンテンツの種類を記憶する第１記憶部と、
前記記憶部に記憶されている入金額、入金回数、送信時間、又は映像コンテンツの種類と複数種類の引換券の内のいずれかとの対応を記憶する第２記憶部と
を更に備え、
前記販売装置は、
前記入金受付部にて所定の金額を受け付けた場合、前記第１記憶部に記憶されている入金額、入金回数、送信時間、又は映像コンテンツの種類に対応する引換券を、前記第２記憶部に記憶されている対応に基づいて決定する決定部と、
クーポンブックと引き換え可能であって、決定された種類の引換券を所定の媒体に印刷出力する出力部と
を備えることを特徴とする視聴権販売システム。
【発明の詳細な説明】
【技術分野】
【０００１】
本発明は、視聴権の訴求力を向上させると共に、設置される施設におけるコミュニケーションのきっかけとなり得る視聴権販売装置及び視聴権販売システムに関する。
【背景技術】
【０００２】
宿泊施設では、客室に設置してある表示装置において所定金額に応じて特定の有料番組の視聴を可能とする映像提供システムを提供していることが多い（特許文献１等）。
【先行技術文献】
【特許文献】
【０００３】
【特許文献１】特開２００６−８７０１２号公報
【発明の概要】
【発明が解決しようとする課題】
【０００４】
しかしながら昨今では、このような映像提供システムにおける有料番組の視聴率が低下している。宿泊施設には、多様な国籍の利用者が宿泊するにも拘わらず、それらの多国籍利用者は有料番組を積極的に視聴しないという事情がある。
【０００５】
本発明は斯かる事情に鑑みてなされたものであり、視聴権の訴求力を向上させるとともに、宿泊施設におけるコミュニケーションのきっかけとなり得る視聴権販売装置及び視聴権販売システムを提供することを目的とする。
【課題を解決するための手段】
【０００６】
本発明の一態様に係る視聴権販売装置は、硬貨又は紙幣の入金を受け付ける入金受付部を備え、施設内に設置されている表示装置における映像の視聴を可能とするための視聴権を販売する視聴権販売装置において、前記入金受付部にて所定の金額を受け付けた場合、クーポンブックと引き換え可能な引換券を所定の媒体に印刷出力する出力部を備えることを特徴とする。
【０００７】
本発明の一態様に係る視聴権販売装置は、入金回数と複数種類の引換券の内のいずれかとの対応を記憶する記憶部と、前記施設の利用期間中に前記入金受付部にて受け付けた入金回数を数える計数部とを更に備え、前記出力部は、前記計数部にて数えられた入金回数に対応する引換券を前記所定の媒体へ印刷出力することを特徴とする。
【０００８】
本発明の一態様に係る視聴権販売装置は、入金額と複数種類の引換券の内のいずれかとの対応を記憶する記憶部と前記施設の利用期間中に前記入金受付部にて受け付けた入金額を総計する総計部とを更に備え、前記出力部は、前記総計部にて受け付けた金額に対応する引換券を前記所定の媒体へ印刷出力することを特徴とする。
【０００９】
本発明の一態様に係る視聴権販売装置は、前記出力部は、前記引換券と共に、所定のＷｅｂページへの接続用又は所定のプログラム起動用の認証コードを含む二次元バーコード情報を印刷出力することを特徴とする。
【００１０】
本発明の一態様に係る視聴権販売システムは、施設内に設置されている表示装置と通信可能に接続してあり、前記表示装置への映像送信を制御する送信制御装置と、硬貨又は紙幣の入金を受け付ける入金受付部を備え、前記表示装置への映像送信を可能とする映像の視聴権を販売する販売装置とを含む視聴権販売システムにおいて、前記施設の利用期間中に前記入金受付部にて受け付けた入金額、入金回数、前記映像の送信時間、又は送信された映像コンテンツの種類を記憶する第１記憶部と、前記記憶部に記憶されている入金額、入金回数、送信時間、又は映像コンテンツの種類と複数種類の引換券の内のいずれかとの対応を記憶する第２記憶部とを更に備え、前記販売装置は、前記入金受付部にて所定の金額を受け付けた場合、前記第１記憶部に記憶されている入金額、入金回数、送信時間、又は映像コンテンツの種類に対応する引換券を、前記第２記憶部に記憶されている対応に基づいて決定する決定部と、クーポンブックと引き換え可能であって、決定された種類の引換券を所定の媒体に印刷出力する出力部とを備えることを特徴とする。
【００１１】
本発明では、クーポンブックと引き換え可能な引換券が所定の紙媒体に印刷出力される。クーポン自体、又はクーポンブック自体が出力されるのではなく、引換券が印刷出力される。したがって映像配信システム及びそのための視聴権販売システムのハードウェア資源は既存のままとしながら、利用者にとっては、視聴権の購入という目的に加えて宿泊施設の利用者に有用なクーポンブックの引き換えを受けることが可能となる。
【００１２】
本発明では、引き換え対象となる引換券は複数種類存在し、入金された金額又は入金回数に応じた種類の引換券が出力される。これにより、視聴権の訴求力が向上することが期待される。
【００１３】
本発明では、視聴の実績（回数、長さ、金額）に応じて引き換え可能なクーポンブックの種類の指定が変更される。これにより、視聴権の訴求力を更に向上させることが可能となる。
【００１４】
本発明では、引換券には二次元バーコードが含まれてもよい。この二次元バーコードは、引換券の引き換え対象であるクーポンブックに関する情報のＷｅｂページへの接続情報、又は電子クーポンブックをダウンロードすることが可能な所定のアプリケーションプログラムを起動するための認証コードの情報を含む。
【発明の効果】
【００１５】
本発明による場合、利用者にとっては、視聴権の購入という目的に加えて宿泊施設の利用者に有用なクーポンブックの引き換えを受けることが可能となり、視聴権の訴求力が向上する。クーポンブックと引き換えが可能な引換券が所定の媒体として出力されるので、引換券の宿泊施設での運用により、利用者と宿泊施設スタッフとの間でのコミュニケーションのきっかけとなり、利用者の宿泊施設への満足度が向上することが期待される。
【図面の簡単な説明】
【００１６】
【図１】実施の形態１における視聴権販売システムの構成を示すブロック図である。
【図２】本実施の形態における視聴権販売装置の内部構成を示すブロック図である。
【図３】実施の形態１における視聴権販売装置にて実行される視聴権販売処理手順の一例を示すフローチャートである。
【図４】実施の形態１における視聴権販売装置から排出される領収書の内容例を示す説明図である。
【図５】実施の形態２における配信サーバの内部構成を示すブロック図である。
【図６】実施の形態２にて記憶される設定情報に含まれる設定条件の内容例を示す説明図である。
【図７】実施の形態２における視聴権販売システムにて実行される視聴権販売処理手順の一例を示すフローチャートである。
【図８】実施の形態２における視聴権販売装置から排出される領収書の内容例を示す説明図である。
【発明を実施するための形態】
【００１７】
以下、本発明をその実施形態を示す図面に基づいて具体的に説明する。なお、以下に示す実施の形態は例示であって、本発明は以下の構成に限られないことは勿論である。
【００１８】
（実施の形態１）
図１は、実施の形態１における視聴権販売システム１００の構成を示すブロック図である。視聴権販売システム１００は、視聴権販売装置１、管理装置２、表示装置３ａ，３ｂ，３ｃ、施設内ネットワーク４、及び配信サーバ５を含む。視聴権販売システム１００は、ホテル、旅館等の宿泊施設に配備されており、配信サーバ５が外部ネットワークＮを介して外部映像配信サービスシステムに接続されている。なお配信サーバ５は、宿泊施設内ではなく外部に配備されている構成としてもよい。
【００１９】
管理装置２はパーソナルコンピュータであり、フロント等の宿泊施設スタッフにより管理される。管理装置２は、宿泊施設における宿泊管理（予約、チェックイン／アウト）に関する業務を支援するプログラムに基づき動作している他、配信サーバ５と通信が可能であり、配信サーバ５における項目の設定等を可能とするプログラムを実行する。
【００２０】
施設内ネットワーク４は、ＬＡＮ（Local Area Network ）を用い、表示装置３ａ，３ｂ，３ｃ，…、管理装置２、視聴権販売装置１及び配信サーバ５間で通信が可能となるように接続する通信媒体である。なお、表示装置３ａ，３ｂ，３ｃと配信サーバ５との間は同軸ケーブルで接続されていてもよく、その場合配信サーバ５はデジタル変調器の機能を有している。施設内ネットワーク４の構成はこれに限らず、種々の映像配信サービスシステムの構成に対応し得る。
【００２１】
表示装置３ａ，３ｂ，３ｃは、テレビジョン放送受信機能を備えてテレビジョン放送に係る映像を表示する。更に表示装置３ａ，３ｂ，３ｃは、配信サーバ５に対する端末装置としての機能を有する。具体的には表示装置３ａ，３ｂ，３ｃはいずれもＷｅｂブラウザ機能を含み、Ｗｅｂブラウザにて配信サーバ５へ接続して配信サーバ５上で公開されている番組情報及び各番組の映像信号へのアクセス先を取得することができる。表示装置３ａ，３ｂ，３ｃは、配信サーバ５との間で番組選択情報を送受信すると共に、配信サーバ５から各表示装置３ａ，３ｂ，３ｃ宛てに送信される映像信号を受信して映像を表示する。
【００２２】
配信サーバ５はサーバコンピュータであり、表示装置３ａ，３ｂ，３ｃを端末装置としてこれらと施設内ネットワーク４を介して通信接続が可能である。具体的には配信サーバ５はＷｅｂサーバ機能を有し、端末装置である表示装置３ａ，３ｂ，３ｃのＷｅｂブラウザからの接続を夫々識別し、視聴が許可されている端末装置へ番組情報及び各番組の映像信号へのアクセス先を公開したＷｅｂページを提供する。配信サーバ５は、外部ネットワークＮを介して外部の映像配信サービスシステムと接続されており、該サービスシステムから映像信号を取得し、映像信号を表示装置３ａ，３ｂ，３ｃへ適切に配信する。
【００２３】
視聴権販売システム１００の基本機能は、宿泊施設内の各客室Ａ，Ｂ，Ｃに備えられている表示装置３ａ，３ｂ，３ｃ夫々での有料番組視聴を個別に実現するものである。共用エリアに備えられている視聴権販売装置１にて、客室Ａ，Ｂ，Ｃを識別する客室番号の指定と共に料金を受け付ける。正規の料金が受け付けられた場合に視聴権販売装置１は、指定された客室番号の客室Ａ，Ｂ，Ｃに備えられている表示装置３ａ，３ｂ，３ｃにおける特定の番組の視聴が許可（制限の解除）されるように配信サーバ５へ客室番号を通知する。配信サーバ５にて客室番号及び料金額等の情報を元に、指定された客室番号に対応する表示装置３ａ，３ｂ，３ｃにおける視聴（映像信号の送信）を許可する制御を行なう。これにより、有料番組又は宿泊施設固有の特別番組の視聴が実現される。
【００２４】
本実施の形態における視聴権販売システム１００では、上述の有料番組視聴の実現の他に、「クーポンブック引換券」の発行サービスを提供する。以下、視聴権販売システム１００にて「クーポンブック引換券」の発行サービスを実現するための詳細な構成について説明する。特にこれを実現するための視聴権販売装置１の構成について詳細に説明する。
【００２５】
図２は、本実施の形態における視聴権販売装置１の内部構成を示すブロック図である。視聴権販売装置１は、制御部１０、記憶部１１、一時記憶部１２、表示部１３、操作部１４、入金受付部１５、印刷部１６、通信部１７、読取部１８及び感知部１９を備える。視聴権販売装置１は筐体内にこれら構成部を備え、表示部１３、操作部１４、並びに、入金受付部１５及び印刷部１６の一部を筐体表面に露出させて構成される。
【００２６】
制御部１０は、ＣＰＵ（Central Processing Unit ）を用い、記憶部１１に記憶されている制御プログラム１Ｐ及び設定情報１１０に基づいて各構成部の動作を制御する。また制御部１０はタイマーを内蔵しており、設定地域における時刻を特定することができる。一時記憶部１２には、制御部１０の処理中に発生する情報が一時的に記憶される。
【００２７】
記憶部１１は、フラッシュメモリ等の不揮発性メモリを用いる。記憶部１１には、制御プログラム１Ｐが記憶されている他、制御部１０が参照する設定情報１１０が記憶されている。設定情報１１０は例えば、表示部１３にて表示させるメッセージ内容、印刷部１６にて印刷出力する文字又は画像の情報、金額等の情報である。また設定情報１１０には、クーポンブック引換券を含む領収書を出力するか否かの設定が含まれる。なお記憶部１１に記憶される設定情報１１０の内容は、管理装置２の操作部及び表示部を用い、管理装置２で動作するユーザインタフェース（専用アプリケーションプログラム又はＷｅｂブラウザ）を介して設定及び変更の受け付けが可能である。なお設定情報１１０は、管理装置２が内蔵する記憶部に記憶されており、制御部１０は自身が起動する都度、通信部１７により設定情報１１０の内容を取得するようにしてもよい。
【００２８】
表示部１３は、ＶＦＤ（Vacuum Fluorescent Display：蛍光表示管）及び駆動回路を含むＶＦＤモジュールを用いる。表示部１３は、制御部１０からの指示に基づき文字を表示部１３に表示する。表示部１３は、日本語用の文字コードのみならず諸外国で用いられる文字の文字コードに対応し、例えば英語（アルファベット）、中国語（繁体字、簡体字）、韓国語、アラビア語等の文字表示が可能である。
【００２９】
操作部１４は、「０〜９（数字）」、「ＯＫ（確定）」及び「ＣＡＮＣＥＬ（取消）」を含むボタンを用い、押下されたボタンを識別する情報を制御部１０へ通知する。操作部１４のボタンには、矢符を表す「→」「←」「↑」「↓」のボタンが含まれるようにしてもよい。
【００３０】
入金受付部１５は、硬貨及び紙幣の入金を受け付ける受付口を夫々筐体外に露出するように有し、受け付けた硬貨及び紙幣を筐体内部に収容すると共に、入金額を特定して制御部１０へ通知する。なお入金受付部１５は硬貨及び紙幣のみならず、クレジットカード、プリペイドカード又はポストペイカードによる入金を受け付けるようにしてもよい。
【００３１】
印刷部１６は、領収書を印字するモジュールを用い、制御部１０からの指示に応じて所定の用紙に文字又は画像を印刷し、領収書を筐体表面に露出させた排出口から排出する。印刷部１６は、印刷後の用紙に複数種類の切り込み（パーシャルカット）を形成するカッターを更に備え、制御部１０からの指示に応じていずれかの種類の切り込みを形成して排出口から排出させる。切り込みの種類は記憶部１１の設定情報１１０に含まれるとよい。
【００３２】
通信部１７は、施設内ネットワーク４に接続されたネットワークカードであり、配信サーバ５及び管理装置２との間での情報の送受信を実現する。
【００３３】
読取部１８は、記憶媒体Ｍから該記憶媒体Ｍに記憶されている情報を読み取る。記憶媒体Ｍは例えば可搬型フラッシュメモリ、光ディスク、又は磁気ディスクであり、読取部１８はこれらを受け付けて記憶されている情報を読み取る。制御部１０は読取部１８により読み取られた情報を記憶部１１（又は一時記憶部１２）に記憶する。制御プログラム１Ｐは、記憶媒体Ｍから読み出されて記憶部１１に記憶されたものであってもよい。
【００３４】
感知部１９は、例えば赤外線を利用した人感センサを用い、装置筐体の正面の所定距離以内に人物が存在する場合に制御部１０へ通知する。
【００３５】
図３は、実施の形態１における視聴権販売装置１にて実行される視聴権販売処理手順の一例を示すフローチャートである。制御部１０は、感知部１９にて装置の筐体前に人物が存在するか否かを判断する（ステップＳ１０１）。ステップＳ１０１にて人物が存在しないと判断された場合（Ｓ１０１：ＮＯ）、制御部１０は処理をステップＳ１０１へ戻して人物が存在することを感知するまで待機する。
【００３６】
ステップＳ１０１にて人物が存在すると判断した場合（Ｓ１０１：ＹＥＳ）、制御部１０は、設定情報１１０にて予め設定されているメッセージを複数言語にて表示部１３に表示させる（ステップＳ１０２）。ステップＳ１０２において制御部１０は、巡回的に複数の言語でメッセージを表示させるとよい。
【００３７】
制御部１０は、操作部１４の「数字」ボタンにより部屋番号の入力を受け付け（ステップＳ１０３）、部屋番号が確定（「ＯＫ」が押下）されたか否かを判断する（ステップＳ１０４）。部屋番号が確定されていないと判断された場合（Ｓ１０４：ＮＯ）、制御部１０は処理をステップＳ１０４へ戻す。
【００３８】
ステップＳ１０４にて部屋番号が確定されたと判断した場合（Ｓ１０４：ＹＥＳ）、制御部１０は、受け付けた部屋番号に基づき、該当する客室がチェックイン済みで且つ視聴権が未販売であって、視聴権の販売が可能である状態か否かを管理装置２及び配信サーバ５へ問い合わせる（ステップＳ１０５）。
【００３９】
ステップＳ１０５にて視聴権の販売が可能であると判断された場合（Ｓ１０５：ＹＥＳ）、制御部１０は入金受付部１５にて硬貨又は紙幣の受け入れを可能として入金を受け付ける（ステップＳ１０６）。制御部１０は、所定の金額の入金を受け付けると視聴権販売完了を示す情報を配信サーバ５及び管理装置２へ通知する（ステップＳ１０７）。そして制御部１０は、記憶部１１に記憶した設定情報１１０を参照し（ステップＳ１０８）、設定情報１１０に基づいて、クーポンブック引換券Ｔを含む領収書Ｒを印刷部１６にて印刷出力させ（ステップＳ１０９）、処理を終了する。
【００４０】
ステップＳ１０８において制御部１０は、クーポンブック引換券を含むか否かの設定、切り込みの種類、あいさつ文及び金額等を示す文字を設定情報１１０から参照し、更に、配信サーバ５から返送される部屋番号が領収書Ｒ内に印字されるように印刷部１６を制御する。
【００４１】
ステップＳ１０５にてチェックイン済みでないか、又は視聴権は販売済みであり、視聴権の販売が不可能な状態であると判断された場合（Ｓ１０５：ＮＯ）、制御部１０はエラーメッセージを表示部１３に表示させ（ステップＳ１１０）、処理を終了する。
【００４２】
図４は、実施の形態１における視聴権販売装置１から排出される領収書Ｒの内容例を示す説明図である。領収書Ｒには、販売された日時、販売されたサービス内容、金額、部屋番号、及び宿泊施設名が印字されている。そして領収書Ｒには、クーポンブック引換券Ｔが含まれている。クーポンブック引換券Ｔは、領収書Ｒの端部を切り込みＣによってパーシャルカットした一部で構成されており、クーポンブック引換券Ｔには、該一部が「クーポンブック引換券」であることを示す文字が印刷されている。なお図４の例では、「クーポンブック引換券」であることを示す文字は、複数の言語で印刷されている。また該クーポンブック引換券Ｔには、二次元バーコードＴ０１が印刷されている。二次元バーコードＴ０１は、引き換え対象のクーポンブックの情報を含むＷｅｂページ（チケットページ）へのリンク情報又は、クーポンブックアプリ起動用の認証コードを含む。
【００４３】
宿泊施設の利用者は、視聴権販売装置１にて視聴権を購入することにより、領収書Ｒを取得する。利用者は領収書Ｒに含まれるクーポンブック引換券Ｔをフロントのスタッフへ提示すると、スタッフからクーポンブックの引換を受けることが可能である。クーポンブックは、異なる言語に対応したもの、又は用途が異なる複数の種類のものが用意されているとよい。そしてスタッフは、クーポンブック引換券Ｔを持参した利用者の言語をその場のコミュニケーションで判断し、その言語に対応するクーポンブックを直接利用者へ手渡す。クーポンブック引換券Ｔは、それ自体はクーポンではなく、クーポンブックを引き換えるための引換券である。引換券は領収書Ｒの一部であるから、映像配信システム及びそのための視聴権販売システムのハードウェア資源は既存のままとしながら、利用者にとっては、視聴権という目的に加えて有用なクーポンブックの引き換えを受けることが可能となる。そして引き換え対象のクーポンブック（クーポン）を、視聴権販売システム１００自体とは異なる仕組みで提供することを可能とすることで、宿泊施設自体、宿泊施設の場所、時期、又は利用者自身の希望によって宿泊施設側で種々創意工夫して設定することもできる。利用者にとって視聴権自体の訴求力が向上するのみならず、利用者とスタッフとの間のコミュニケーションのきっかけを生み、宿泊施設の利用満足度を向上させることが可能になる。
【００４４】
なお利用者は、領収書Ｒに印字されている二次元バーコードＴ０１を、所持するスマートフォン等の携帯端末装置のカメラで読み込み、その二次元バーコードＴ０１が示すクーポンブックの名称、又はリンク情報に基づき表示されるＷｅｂページを携帯端末装置の表示部に表示させることが可能である。この場合、携帯端末装置に表示されたクーポンブックの名称（サービスの名称）又はＷｅｂページをクーポン利用対象の施設のスタッフが確認することにより、利用者にクーポン利用によるサービスを提供することも可能である。このとき表示されるＷｅｂページには、宿泊施設周辺の観光スポット、飲食店等のサービスの情報を複数の言語で紹介する情報が含まれるとよい。二次元バーコードＴ０１がクーポンブックアプリの認証コードである場合、利用者は携帯端末装置のカメラが二次元バーコードＴ０１を読み込むことで、その携帯端末装置にて所定のクーポンブックアプリが起動し、更に特定のクーポンを取得することができる。また、起動後のクーポンブックアプリにて受け付ける認証コードであって、利用者がこの認証コードを入力する操作を行なうことにより、特定のクーポンを取得することができるようにしてもよい。そしてこの特定のクーポンは例えば、宿泊施設周辺の観光スポット、飲食店等で利用できるものである。またこの特定のクーポンは例えば、二次元バーコードＴ０１が、視聴権販売装置１が設置される施設を特定する名称、グループ名などの情報を含むようにしてあってもよい。この場合、その宿泊施設を利用した利用者のみの特典としてのクーポンの提供を受けることができる。二次元バーコードＴ０１をどのようなものにするのかは、制御部１０が設定情報１１０を参照して印刷部１６にて印刷することができるようにしてある。したがって、設定情報１１０を管理装置２から適宜変更することで、宿泊施設で個別に、又はグループ毎に特有のクーポンを設定することも可能である。
【００４５】
（実施の形態２）
図５は、実施の形態２における配信サーバ５の内部構成を示すブロック図である。実施の形態２における視聴権販売システム１００の構成は、配信サーバ５における具体的構成、及び視聴権販売装置１において記憶される設定情報及び処理の詳細が異なる以外は、実施の形態１における構成と共通する。したがって、以下の説明においては、共通する構成については同一の符号を付して詳細を省略する。
【００４６】
配信サーバ５は、制御部５０、記憶部５１、一時記憶部５２、及び通信部５３を備える。
【００４７】
制御部５０はＣＰＵを用い、記憶部５１に記憶されているサーバプログラムに基づいて各構成部の動作を制御する。一時記憶部５２は、制御部５０の処理により発生した情報を一時的に記憶する。
【００４８】
記憶部５１は、ハードディスク又はフラッシュメモリ等の不揮発性の記憶媒体を用いる。記憶部５１には、視聴ログ５１０が記録される。視聴ログ５１０は客室番号に対応付けて、客室毎のチェックインからチェックアウトまでの間の視聴時間、視聴権の購入回数、購入総額を含む。視聴ログ５１０には視聴された番組を識別する情報が含まれてもよい。なお視聴時間、視聴権の購入回数、及び購入総額の内のいずれか１つのみを視聴ログ５１０に記録するようにしてもよい。
【００４９】
通信部５３は、施設内ネットワーク４に接続されたネットワークカードであり、及び管理装置２との間での情報の送受信を実現する。なお通信部５３は外部の映像配信サービスへ接続するに際してはルータ経由で安全に接続されるようにしてある。
【００５０】
視聴権販売装置１の記憶部１１に記憶される設定情報１１０には、印刷出力される引換券の種類の設定条件が含まれる。図６は、実施の形態２にて記憶される設定情報１１０に含まれる設定条件の内容例を示す説明図である。設定条件は図６に示すように、項目と項目毎の閾値との組み合わせで構成されている。図６の例では例えば、「購入回数」に対して「３」が設定されている。チェックインからチェックアウトまでの間の視聴権の購入回数が３回以上となった場合に特別な種類の引換券が印刷出力される。他の例として「購入総額」に対して「３０００」が設定され、「視聴時間」に対して「５」が設定され、あるいは「視聴番組」に対して「９０１」が設定されている。これは例えば、視聴権の購入金額の総計が３０００円以上となった場合、視聴時間が合計で５時間以上となった場合、又は所定の番組（９０１ｃｈ）を視聴した場合に特別な種類の引換券が印刷出力されることを意味する。
【００５１】
ここで所定の番組として例えば、クーポンブックに含まれるクーポン提供の飲食店、サービス店が存在する地域の観光情報、広告宣伝番組とすることにより、映像配信サービスとクーポンブックとの連動が期待される。また、スポーツ観戦のために宿泊施設を利用する利用客へのサービスの一環として、所定の番組としてスポーツに関する番組とすることもできる。この場合、提供されるクーポンブックはそのスポーツに関するサービスを提供する飲食店、サービス、小売店のクーポンを含むなどすることにより、スポーツイベントとの相乗効果を生むことも期待される。
【００５２】
図７は、実施の形態２における視聴権販売システムにて実行される視聴権販売処理手順の一例を示すフローチャートである。なお図７のフローチャートに示す処理手順の内、図３のフローチャートに示した手順と共通する手順については同一のステップ番号を付して詳細な説明を省略する。
【００５３】
視聴権販売装置１の制御部１０は、所定の金額の入金を受け付け、視聴権販売完了を配信サーバ５及び管理装置２へ通知した後（Ｓ１０７）、配信サーバ５へ部屋番号を指定して視聴ログ５１０の問い合わせを行なう（ステップＳ１１１）。問い合わせる内容は設定によるが、実施の形態２では視聴権の購入回数を取得する。配信サーバ５の制御部５０は、問い合わせに対して記憶部５１の視聴ログ５１０から、指定される部屋番号に対応付けられている視聴権の購入回数を読み出し、視聴権販売装置１へ返送する。
【００５４】
視聴権販売装置１の制御部１０は、問い合わせによって得られた情報（ここでは視聴権の購入回数）について設定情報を参照し（Ｓ１０８）、特別な引換券の設定条件を満たすか否かを判断する（ステップＳ１１２）。設定条件は図６で示したように、視聴権の購入回数であれば「３」以上であるから、ステップＳ１１２において制御部１０は問い合わせによって得られた情報と設定条件とを比較する。
【００５５】
ステップＳ１１２において設定条件を満たさないと判断された場合（Ｓ１１２：ＮＯ）、制御部１０は通常のクーポンブック用のクーポンブック引換券Ｔを含む領収書Ｒを印刷出力し（Ｓ１０９）、処理を終了する。
【００５６】
ステップＳ１１２において設定条件を満たすと判断された場合（Ｓ１１２：ＹＥＳ）、制御部１０は、特別なクーポンブック用のクーポンブック引換券Ｔ２を含む領収書Ｒ２を印刷出力し（ステップＳ１１３）、処理を終了する。
【００５７】
図８は、実施の形態２における視聴権販売装置１から排出される領収書Ｒ２の内容例を示す説明図である。図８に示す領収書Ｒ２には、図４に示した実施の形態１における領収書Ｒと同様に、販売された日時、販売されたサービス内容、金額、部屋番号、及び宿泊施設名が印字されている。そして領収書Ｒ２には、クーポンブック引換券Ｔとは記載内容が異なるクーポンブック引換券Ｔ２が含まれている。クーポンブック引換券Ｔ２は、領収書Ｒ２の端部を切り込みＣ２によってパーシャルカットした一部で構成されている。なお図８に示した切り込みＣ２と図４に示した切り込みＣとは、設定によって種類が異なる。クーポンブック引換券Ｔ２には、「プレミアムクーポンブック引換券」であることを示す文字が印刷されている。「プレミアム」という語感を演出するため、図８に示すクーポンブック引換券Ｔ２には、装飾画像が印刷されている。クーポンブック引換券Ｔ２も二次元バーコードＴ０２が印刷されている。二次元バーコードＴ０２は、引き換え対象のクーポンブックの名称、又は該クーポンブックの情報を含むＷｅｂページ（チケットページ）へのリンク情報又は、クーポンブックアプリ起動用の認証コードを含む。
【００５８】
所定の購入回数、購入金額、視聴時間、視聴番組の設定条件を満たした利用者は、領収書Ｒ２を取得することが可能である。利用者は領収書Ｒ２に含まれるクーポンブック引換券Ｔ２をフロントのスタッフへ提示すると、スタッフから特別なクーポンブックの引換を受けることが可能である。特別なクーポンブック用のクーポンブックは、割引率が高い、又は他のクーポンブックには含まれない特別なクーポンを含む。
【００５９】
このようにして、実施の形態２においては、視聴権販売装置１が販売する視聴権に係る利用者の実績に基づいて、クーポンブック引換券Ｔ又はクーポンブック引換券Ｔ２のいずれかが印刷出力される。これにより、視聴権販売装置１がクーポンブックのみの目的で利用されるのみならず、映像配信サービスにおける映像視聴自体に対するモチベーションを向上させ、視聴権の訴求力を更に向上させることが可能となる。視聴権販売システムの配置場所は、宿泊施設に限られない。映像配信サービスが導入されているアミューズメント施設、温泉など観光施設であってもよい。なお実施の形態２においても、二次元バーコードＴ０２の情報を、視聴権販売装置１が設置される施設によって個別に設定し、施設利用者のみが利用できるクーポンブック（クーポン）の引き換えを受けることができ、更に視聴実績に応じたクーポンを受けることができるようにてもよい。
【００６０】
実施の形態１及び２では、視聴権販売装置１は、客室番号の入力を受け付けて視聴権を販売する構成とした。ここで視聴権販売装置１は、客室番号の入力時に特定の番号を入力することにより、料金を受け付けて有料番組の視聴権なしのクーポンブック引換券Ｔ（又はクーポンブック引換券Ｔ２）のみを含む領収書Ｒ（又はＲ２）を排出する処理を行なうことが可能に構成されてもよい。この場合、視聴権なしでのクーポンブック引換券Ｔ（又はＴ２）のみの排出を可とするか否かは、管理装置２により設定情報１１０にて設定可能であるとよい。視聴権なしのクーポンブック引換券Ｔ（又はＴ２）を発行する装置として構成される場合、該装置の設置場所は宿泊施設に限られない。観光案内所など多国籍の人々が集まりやすい場所に設置されるようにしてもよい。
【００６１】
また実施の形態１及び２において表示装置３ａ，３ｂ，３ｃは、Ｗｅｂブラウザ機能を含み、Ｗｅｂブラウザにて配信サーバ５へ接続する構成とした。しかしながら本発明はこれに限らず、表示装置３ａ，３ｂ，３ｃはＳＴＢ（Set Top Box ）経由で配信サーバ５と接続して映像信号を受信する構成としてもよい。この場合、視聴権販売装置１は、入金受付部１５にて入金を受け付けた場合、各客室に設置されたＳＴＢへ入力する暗証番号を記載したチケットを印刷部１６から印刷出力する。この場合にはチケットが領収書Ｒでもあり、クーポンブック引換券Ｔ（又はＴ２）を含む。
【００６２】
なお上述に示した処理手順において、操作部１４における部屋番号の入力は、無線タグ等の部屋番号の情報を記憶したタグ内蔵のキーカードと無線通信を行なう構成に代替されてもよい。
【００６３】
また管理装置２にてチェックイン時に、宿泊者の使用言語の情報が設定され、その情報を参照することにより、制御部１０は表示部１３に表示されるメッセージの使用言語、排出される領収書Ｒ（又はＲ２）で用いられる文字、更には表示装置３ａ，３ｂ，３ｃにて出力する音声の言語を対応させるようにしてもよい。また操作部１４のボタンに、矢符を表す「→」「←」「↑」「↓」のボタンを含む構成とし、表示部１３における表示と連動して使用言語の選択を受け付けるように構成してもよい。この場合も同様に、表示部１３に表示されるメッセージの言語、領収書Ｒ（又はＲ２）で用いられる文字、表示装置３ａ，３ｂ，３ｃにおける音声の言語を対応させることで利便性が向上する。更には、このときに設定される使用言語の情報により、映像配信サービスにて配信される映像を使用言語に応じて選択可能とするようにしてもよい。例えば使用言語でのニュース番組の配信を可能とする。また、国際的なスポーツ大会の観戦のために宿泊施設を利用する利用客へのサービスとして、使用言語でのスポーツニュース番組の配信、又は大会の録画映像の配信を可能とする。
【００６４】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６５】
１００  視聴権販売システム
１  視聴権販売装置
１０  制御部
１１  記憶部
１１０  設定情報
１Ｐ  制御プログラム
１５  入金受付部
１６  印刷部（出力部）
５  配信サーバ
５０  制御部
５１  記憶部
５１０  視聴ログ
Ｒ，Ｒ２  領収書
Ｔ，Ｔ２  クーポンブック引換券
Ｃ，Ｃ２  切り込み
【図１】
2017138734.tif 000003
【図２】
2017138734.tif 000004
【図３】
2017138734.tif 000005
【図４】
2017138734.tif 000006
【図５】
2017138734.tif 000007
【図６】
2017138734.tif 000008
【図７】
2017138734.tif 000009
【図８】
2017138734.tif 000010